(57)【要約】【課題】  ロータにアウトサート成形したディスクテーブルがロータから浮き上がったり、面振れを起こすのを防止する。【解決手段】  スピンドルモータ１５１は、天面部１６８ａおよび該天面部の外周に設けられた筒状のスカート部１６８ｂを有するロータ１６８と、該ロータにアウトサート成形された合成樹脂のディスクテーブル１６９と、を備えている。天面部に設けた第１の樹脂導入孔１７３を通して上記ディスクテーブルを構成する合成樹脂の一部を上記天面部の下面側に導いて該下面に重なる第１の重合部１６９ｂを形成すると共に、上記ロータの天面部とスカート部が連なる折曲部に第２の樹脂導入孔１７４を設け、該第２の樹脂導入孔を介して、上記第１の重合部１６９ｂの先端部を上記ディスクテーブルの内面に接続した。【選択図】  図２１
2008131846.tif 000002
【特許請求の範囲】
【請求項１】
略円形状の天面部と、該天面部の外周部に所定の間隔をもって配置された筒状のスカート部とを含む金属製のロータと、
上記ロータにアウトサート成形された合成樹脂で、上記ロータの外側面に位置するテーブル本体部と、上記ロータの内面側に位置するロータ内面重合部とを含むディスクテーブルと、
を有し、
上記筒状のスカート部に第１の樹脂導入孔を設け、該第１の樹脂導入孔を介して、上記ロータの外面側に位置するテーブル本体部の内面を上記ロータの内面側に位置する上記ロータ内面重合部に接続したことを特徴とするスピンドルモータ。
【請求項２】
略円形状の天面部と、該天面部の外周部に所定の間隔をもって配置された筒状のスカート部とを含む金属製のロータと、
上記ロータにアウトサート成形された合成樹脂で、上記ロータの外側面に位置するテーブル本体部と、上記ロータの内面側に位置するロータ内面重合部とを含むディスクテーブルと、
上記ディスクテーブルに載置されたディスクを再生する再生部と
を有し、
上記筒状のスカート部に第１の樹脂導入孔を設け、該第１の樹脂導入孔を介して、上記ロータの外面側に位置するテーブル本体部の内面を上記ロータの内面側に位置する上記ロータ内面重合部に接続したことを特徴とする再生装置。
【請求項３】
略円形状の天面部と、該天面部の外周部に所定の間隔をもって配置された筒状のスカート部とを含む金属製のロータと、
上記ロータにアウトサート成形された合成樹脂で、上記ロータの外側面に位置するテーブル本体部と、上記ロータの内面側に位置するロータ内面重合部とを含むディスクテーブルと、
上記ディスクテーブルに載置されたディスクを再生する再生部と
を有し、
上記ロータのスカート部の外周面に、上記ディスクテーブルを構成する合成樹脂の一部を導入する溝部を形成したことを特徴とする再生装置。
【請求項４】
略円形状の天面部と、該天面部の外周部に所定の間隔をもって配置された筒状のスカート部とを含む金属製のロータと、
上記ロータにアウトサート成形された合成樹脂で、上記ロータの外側面に位置するテーブル本体部と、上記ロータの内面側に位置するロータ内面重合部とを含むディスクテーブルと、
上記ディスクテーブルに載置されたディスクを再生する再生部と
を有し、
上記スカート部の上端を内側に向けて略直角に折り曲げることにより形成されているリング状のフランジ部に第２の樹脂導入孔を設け、該第２の樹脂導入孔を通して上記ロータの外面側に位置するテーブル本体部の内面を、上記ロータの内面側に位置する上記ロータ内面重合部に接続したことを特徴とする再生装置。
【請求項５】
上記ロータのスカート部の外周面に、上記ディスクテーブルを構成する合成樹脂の一部を導入する溝部を形成したことを特徴とする請求項４に記載の再生装置。
【発明の詳細な説明】
【技術分野】
【０００１】
本発明は、スピンドルモータと、該スピンドルモータに使用するロータアッシーおよび上記スピンドルモータを使用した再生装置に関するものである。
【背景技術】
【０００２】
図３４、図３５に示すように、ディスク等の再生装置において、スピンドルモータ３０１は、モータ支持板としてのステータ基板３０２をシャーシ３０３の上面に重ねて、ビス３０４等により上記シャーシ３０３の上面側に起立させた状態に取付けられている。上記スピンドルモータ３０１は、ステータ基板３０２に設けられた筒状の軸受部３０５と、該軸受部３０５の内周に取付けられた軸受３０６と、上記ステータ基板３０２上に取り付けられた配線板３０７と、上記筒状の軸受部３０５の外周部に取付けられた鉄心コイル３０８と、上記軸受３０６に取り付けられた回転軸３０９と、該回転軸３０９の先端に取付けられたロータアッシー３１０と、を備えている。
【０００３】
上記ロータアッシー３１０は、金属製のロータ３１１と、該ロータ３１１にアウタサート成形された合成樹脂のディスクテーブル３１２と、を備えている。上記ロータ３１１の内周面には鉄心コイル３０８と対を成すロータマグネット３１３が取付けられている。また、上記ディスクテーブル３１２の上面にはディスク状記録媒体のハブをマグネットチャッキングするチャッキング用のマグネット３１４が取付けられ、該マグネット３１４の外周部にはセンタリング用のバネ３１５が配置されている。
【０００４】
図３６にロータ３１１とディスクテーブル３１２を分離して示すように、上記ロータ３１１は、略円形状の天面部３１１ａと筒状のスカート部３１１ｂを有し、天面部３１１ａの外周に所定の隙間３１１ｃをもって上記筒状のスカート部３１１ｂを配置した状態で上記ディスクテーブル３１２がアウトサート成形される。一方、上記ディスクテーブル３１２は、上記ロータ３１１の外面側に位置するテーブル本体部３１２ａと、上記ロータ３１１の内面側に位置して上記テーブル本体部３１２ａをロータ３１１に一体的に結合しているロータ内面重合部３１２ｂと、を備えている。上記ロータ内面重合部３１２ｂは、ディスクテーブル３１２を樹脂成形する際に、樹脂の一部を、上記天面部３１１ａと筒状のスカート部３１１ｂの間の隙間３１１ｃを通してロータ３１１の内面側に回り込ませることにより形成されている。（例えば、特許文献１参照）
【特許文献１】特開２００５−３２２３１８号公報
【発明の開示】
【発明が解決しようとする課題】
【０００５】
ところで、上記従来のスピンドルモータ３０１にあっては、図３５に示すように、ロータ内面重合部３１２ｂの外周側の端部３１２ｃは上記ロータ３１１のスカート部３１１ｂで分断されてテーブル本体部３１２ａと非結合状態になっているために、図３５に２点鎖線で示すように、ロータ内面重合部３１２ｂが捲れるように変形してしまうことがあり、テーブル本体部３１２ａとロータ３１１の一体性に乏しい。
【０００６】
また、寒冷地等においてテーブル本体部３１２ａが熱収縮したような場合に、金属製のロータとの熱収縮率の違いから、図３５の矢印方向に、テーブル本体部３１２ａが浮き上がり、ディスクテーブルの高さ位置精度を維持できなくなったり、或いは面振れ等を起こし易いという問題点があった。
【０００７】
そこで、上記テーブル本体部３１２ａやロータ内面重合部３１２ｂの肉厚を厚くして変形を防止することも考えられるが上記テーブル本体部３１２ａやロータ内面重合部３１２ｂの肉厚を厚くすると、ロータ３１１等の肉厚も厚くなってしまうという問題点がある。
【０００８】
本発明の目的は、テーブル本体部とロータの一体性を向上させて、ロータからのテーブル本体部の浮き上がりや面振れの発生を抑制し、信頼性の高いスピンドルモータおよび再生装置を提供することにある。
【課題を解決するための手段】
【０００９】
本発明は、金属製のロータと、該ロータにアウトサート成形された合成樹脂のディスクテーブルと、からなり、上記ロータは、略円形状の天面部と、該天面部の外周部に所定の間隔をもって配置された筒状のスカート部と、を備え、上記ディスクテーブルは、上記ロータの外面側に位置するテーブル本体部と、上記ロータの内面側に位置するロータ内面重合部と、を備えたスピンドルモータのロータアッシーにおいて、
上記筒状のスカート部の上端部に第１の樹脂導入孔を設け、該第１の樹脂導入孔を介して、上記ロータの外面側に位置するテーブル本体部の内面を、上記ロータの内面側に位置する上記ロータ内面重合部に接続した。
【発明の効果】
【００１０】
ロータにディスクテーブルをアウトサート成形すると、第１の樹脂導入孔によって、上記テーブル本体部の内面と、上記ロータ内面重合部の内面とが、上記スカート部において接続された状態になるので、ロータとディスクテーブルの結合強化が図られ、ディスクテーブルの浮き上がりや面振れを防止する。
【発明を実施するための最良の形態】
【００１１】
以下、本発明を、（１）再生装置全体の概略構成、（２）スピンドルモータの構成、（３）スレッドモータの構成、（４）モータ脱落防止部の構成、（５）伝達ギヤ群の構成、（６）光学ピックアップの構成、（７）ディスクカートリッジイジェクト機構の構成、（８）イジェクトレバーロック解除部の構成、（９）ディスクカートリッジの構成、（１０）カートリッジホルダの構成、（１１）シャーシの構成、（１２）作用および効果、の順に説明する。
【００１２】
（１）再生装置全体の概略構成、
図１はカートリッジホルダ１０１がカートリッジ挿抜位置に在る状態の再生装置１００の斜視図、図２はカートリッジホルダ１０１にディスクカートリッジ１を収納した状態の再生装置の斜視図、図３はカートリッジホルダ１０１が記録再生位置に在る状態の再生装置の斜視図、図４は裏面側から見た平面図、図５は分解斜視図である。
【００１３】
再生装置１００は、ディスクカートリッジ１を挿入、保持するカートリッジホルダ１０１と、カートリッジホルダ１０１をカートリッジ挿抜位置と記録再生位置の相互間で移動可能に支持しているシャーシ１０２と、シャーシ１０２に設けられていてディスクカートリッジ１の記録再生を行なう光学ピックアップ，スピンドルモータ，スレッドモータ等からなる記録再生機構１０３と、シャーシ１０２にディスクカートリッジ１の挿抜方向に回動移動（以下、単に回動と称する）可能に、且つシャーシ１０２に対して接離方向に移動可能に設けられていてカートリッジホルダ１０１に挿入されてきたディスクカートリッジ１によって押されて回動するイジェクトレバー１０４，該イジェクトレバー１０４にディスクカートリッジ排出方向の回動力およびシャーシ１０２上面に押し付ける方向の力を付与しているイジェクトバネ１０５，上記イジェクトレバー１０４に制動力を付与するダンパーバネ１０６を備えたディスクカートリッジイジェクト機構１０７と、ディスクカートリッジ１の挿入によって回動されたイジェクトレバー１０４をシャーシ１０２にロック（位置決め係止）するイジェクトレバーロック部１０８と、上記カートリッジホルダ１０１を記録再生位置からカートリッジ挿抜位置に回動させたときにイジェクトレバーロック部１０８によるイジェクトレバー１０４のロック（係止）を解除するイジェクトレバーロック解除部１０９と、を備えている。
【００１４】
上記イジェクトレバーロック解除部１０９は、上記カートリッジホルダ１０１に設けられていて、上記カートリッジホルダ１０１を記録再生位置からカートリッジ挿抜位置に回動させたときに、イジェクトレバー１０４を押し上げてイジェクトレバーロック部１０８によるイジェクトレバー１０４のロックを解除する。
【００１５】
図１および図６に示すように、カートリッジホルダ１０１がカートリッジ挿抜位置に在る状態（カートリッジホルダ１０１がシャーシ１０２に対して所定の傾斜角度で傾斜している状態）において、カートリッジホルダ１０１にディスクカートリッジ１を挿入すると、ディスクカートリッジ１の前面でイジェクトレバー１０４の被押圧部１０４ｃが押され、イジェクトレバー１０４は、軸部１０４ｉを中心にしてイジェクトバネ１０５のバネ力に抗して時計方向に回動する。
【００１６】
図２および図７に示すように、ディスクカートリッジ１をカートリッジホルダ１０１の所定の位置まで挿入すると、イジェクトレバー１０４の被ロック部１０４ｅがイジェクトレバーロック部１０８を乗り越えて、該イジェクトレバーロック部１０８の一端部１０８ａに係合して、イジェクトレバー１０４の戻り回動が阻止される。
【００１７】
図７Ｄに示すように、上記イジェクトレバーロック部１０８の一端部１０８ａは、略垂直面になっていて上記イジェクトレバー１０４の被ロック部１０４ｅが確実に係合するようになっている。一方、上記イジェクトレバーロック部１０８の他端部１０８ｂは、傾斜面になっていて上記イジェクトレバー１０４の被ロック部１０４ｅが上記イジェクトレバーロック部１０８上を乗り越えるようになっている。
【００１８】
図３に示すように、ディスクカートリッジ１を挿入してカートリッジホルダ１０１を記録再生位置に移動させると、図８Ａに示すように、イジェクトレバーロック解除部１０９のラチェト状の爪部１０９ｂの外側面１０９ｃがイジェクトレバー１０４のロック解除部材係合部１０４ｆの先端部に接触して、イジェクトレバーロック解除部１０９はアーム部１０９ａ部分で撓んで、爪部１０９ｂがロック解除部材係合部１０４ｆから逃げる方向に移動する。そして、爪部１０９ｂがロック解除部材係合部１０４ｆを通過すると、図８Ｂに示すように、爪部１０９ｂは、元の位置に復帰して、ロック解除部材係合部１０４ｆの下面側に侵入して該ロック解除部材係合部１０４ｆの下面と係合可能な状態になる。そして、この状態で、光ディスクの記録再生が行われる。
【００１９】
記録再生終了後にカートリッジホルダ１０１を、カートリッジ挿抜位置に移動させると、図８Ｃに示すように、イジェクトレバーロック解除部１０９の爪部１０９ｂによってイジェクトレバー１０４が持ち上げられて、イジェクトレバーロック部１０８によるイジェクトレバー１０４の係合（ロック）が解除されて、イジェクトレバー１０４は、イジェクトバネ１０５によって反時計方向に戻り回動し、戻り回動の途中で上記ダンパーバネ１０６によって制動力を与えられてゆっくりと回動してディスクカートリッジ１をカートリッジホルダ１０１から押し出す。
【００２０】
上記記録再生機構１０３は、スピンドルモータ１５１、光学ピックアップ１５２、スレッドモータ１５３、該スレッドモータ１５３の回転を光学ピックアップ１５２に伝達する伝達ギヤ群１５４等で構成されている。
【００２１】
そして、カートリッジホルダ１０１にディスクカートリッジ１を挿入して記録再生位置に移動させるとカートリッジホルダ１０１内の光ディスクがスピンドルモータ１５１上にチャッキングされて回転駆動される。そして、上記スレッドモータ１５３および伝達ギヤ群１５４で光学ピックアップ１５２を上記光ディスクの半径方向に移動させながら光ディスクの記録再生を行う。
【００２２】
（２）スピンドルモータの構成
図２０に示すように、上記スピンドルモータ１５１は、ステータ基板１６１に設けられた筒状の軸受部１６１ａと、該軸受部１６１ａの内周に取付けられた軸受１６２と、上記筒状の軸受部１６１ａを中央孔１６３内に挿入した状態で上記ステータ基板１６１上に載置された配線板１６４と、上記筒状の軸受部１６１ａの外周部に取付けられた鉄心コイル１６５と、上記軸受１６２に回転軸１６６の先端を挿入した状態で回転可能に取付けられたロータアッシー１６７と、を備えている。上記ロータアッシー１６７は、ロータ１６８と、該ロータ１６８にアウトサート成形された合成樹脂のターンテーブル１６９と、を備えている。
【００２３】
上記ロータ１６８の内面には上記鉄心コイル１６５と対を成すロータマグネット１７０が取付けられている。また、上記ディスクテーブル１６９にはディスク状記録媒体２のハブ２２をマグネットチャッキングするチャッキング用のマグネット１７１とディスク状記録媒体２のセンタリングを行うセンタリングバネ１７２が取付けられている。
【００２４】
図２１に分解して示すように、上記ロータアッシー１６７は、金属製のロータ１６８と、該ロータ１６８にアウトサート成形された合成樹脂のディスクテーブル１６９と、からなっている。
【００２５】
上記ロータ１６８は、略円形状の天面部１６８ａと、該天面部１６８ａの外周部に所定の間隔１７３をもって配置される筒状のスカート部１６８ｂと、を備えている。上記筒状のスカート部１６８ｂの上端には、該上端を内側に略直角に折り曲げることにより、リング状のフランジ部１６８ｃが形成されている。
【００２６】
上記スカート部１６８ｂの上端の折曲部には、第１の樹脂導入孔１７４が形成されている。上記第１の樹脂導入孔１７４は、上記筒状のスカート部１６８ｂの周方向に所定の間隔をもって列設されている。
【００２７】
また、上記ディスクテーブル１６９は、上記ロータ１６８の外面側に位置するテーブル本体部１６９ａと、上記ロータ１６８の内面側に位置するロータ内面重合部１６９ｂと、を備えている。
【００２８】
上記ディスクテーブル１６９は、上記ロータ１６８の天面部１６８ａと筒状のスカート部１６８ｂを所定の間隔１７３をもって成形金型内に位置決めして配置したのち上記成形金型内に溶融樹脂を注入することによりアウトサート成形されている。そして、上記間隔１７３および第１の樹脂導入孔１７４によって、図２２に示すように、上記テーブル本体部１６９ａの内面と上記ロータ内面重合部１６９ｂの外面が結合されて、上記ロータ１６８と上記ディスクテーブル１６９の結合強化が図られる。なお、図２１に示すように、上記第１の樹脂導入孔１７４の周縁部の下端側は、外面側に凹部１７４ａを形成することにより、内面側を薄肉部１７４ａに形成している。これは、ディスクテーブル１６９をアウトサート成形する際に、樹脂の一部を上記凹部１７４ａ内に導入することにより、図２２に示すように、テーブル本体部１６９ａの上記凹部１７４ａに対応する部分１６９ｃの肉厚を厚くして、テーブル本体部１６９ａの強化を図ったものである。
【００２９】
図２３〜図２５は、上記ロータ１６８と上記ディスクテーブル１６９の結合強化を図るための他の（第２の）実施例を示す。この実施例においては、上記ロータ１６８のスカート部１６８ｂの外周面に、上記ターンテーブル１６９を構成する合成樹脂の一部を導入する溝部１７５を形成し、上記ディスクテーブル１６９をアウトサート成形する際に、上記溝部１７５に上記テーブル本体部１６９ａ側の樹脂の一部１６９ｄを導入することにより上記ロータ１６８と上記ディスクテーブル１６９の結合強化を図った。その他の構成は第１実施例の場合と同じであるので同一構成部分には同一符号を付して重複する説明を省略する。
【００３０】
図２６〜図２８は、上記ロータ１６８と上記ディスクテーブル１６９の結合強化を図るための他の（第３の）実施例を示す。この実施例においては、上記筒状のスカート部１６８ｂの上端に設けたリング状のフランジ部１６８ｃの幅を上記第１実施例の場合よりも若干広くして、該フランジ部１６８ｃに第２の樹脂導入孔１７６を形成したものである。
【００３１】
上記ロータ１６８に上記ディスクテーブル１６９をアウトサート成形する際に、上記第２の樹脂導入孔１７６によって、上記テーブル本体部１６９ａの内面と上記ロータ内面重合部１６９ｂの外面が結合されて、上記ロータ１６８と上記ディスクテーブル１６９の結合強化が図られる。その他の構成は第１実施例の場合と同じであるので同一構成部分には同一符号を付して重複する説明を省略する。
【００３２】
図２９〜図３１は、上記ロータ１６８と上記ディスクテーブル１６９の結合強化を図るための他の（第４の）実施例を示す。この実施例は、上記第２，第３の実施例を組み合わせたものであり、上記ロータ１６８のスカート部１６８ｂの外周面に、上記ターンテーブル１６９を構成する合成樹脂の一部を導入する溝部１７５を形成すると共に、上記フランジ部１６８ｃに第２の樹脂導入孔１７６を設けたものであり、上記第２の実施例の効果と第３の実施例の効果を併せ持つ。その他の構成は第２、第３実施例の場合と同じであるので同一構成部分には同一符号を付して重複する説明を省略する。なお、上記実施例においては、ロータ１６８を、天面部１６８ａと筒状のスカート部１６８ｂの２部品で構成した場合を示したが、天面部１６８ａと筒状のスカート部１６８ｂを一体化して、天面部１６８ａと筒状のスカート部１６８ｂの間に上記隙間１７３に相当する樹脂導入用の穴を形成してもよい。
【００３３】
（３）スレッドモータの構成
図３２に示すように、上記スレッドモータ１５３は、モータ支持板としてのステータ基板１９１に取付けられていて、該ステータ基板１９１の外周部を上記シャーシ１０２の下面に重ね合わせてビス１５５等により上記シャーシ１０２の下面に垂下させた状態に取付けられている。
【００３４】
上記スレッドモータ１５３は、ステータ基板１９１に設けられた筒状の軸受部１９１ａと、該軸受部１９１ａの内周に取付けられた軸受１９２と、上記筒状の軸受部１９１ａを中央孔１９３内に挿入した状態で上記ステータ基板１９１上に載置された配線板１９４と、上記筒状の軸受部１９１の外周部に取付けられた鉄心コイル１９５と、上記軸受１９２に回転軸１９６を挿入した状態で回転可能に取付けられたロータ１９７と、を備えている。ロータ１９７の内面には上記鉄心コイル１９５と対をなすロータマグネット１９８が設けられている。
【００３５】
図３３に示すように、上記ロータ１９７は、円筒部１９７ａと底面部１９７ｂによって有底円筒状に形成されていて、円筒部１９７ａの底面部１９７ｂ側の端部外周面にリング状の第１のギヤ２０１を備え、上記円筒部１９７ａの底面部１９７ｂ側と反対側の端部に上記リング状のギヤ２０１と所定の間隔をもって対抗するフランジ部２００を備えている。
【００３６】
上記リング状の第１のギヤ２０１は、ロータ１９７の外面にアウトサート等により一体的に成形され、或いはロータ１９７の外面に嵌合することにより取付けられている。また、上記フランジ部２００は、ロータ１９７の開口側の端部を外側に向けて略直角に折り曲げることにより、或いはロータ１９７の外面にアウトサート等により成形されている。
【００３７】
上記スレッドモータ１５３のロータ１９７の回転は、上記リング状の第１のギヤ２０１及び後に説明する伝達ギヤ群１５４を介して上記光学ピックアップ１５２に伝達される。
【００３８】
（４）モータ脱落阻止部の構成
モータ脱落阻止部１４０は、上記ビス１５５が緩むなどして、スレッドモータ１５３がシャーシ１０２から脱落するのを防止するためのものである。図３２、図３３に示すように、上記モータ脱落阻止部１４０は、シャーシ１０３の下面側に上記スレッドモータ１５３の外周面に沿わせて略垂直に形成された垂直片部１４１と、該垂直片部１４１の先端部を上記スレッドモータ１５３の中心部に向けて略直角に折り曲げた水平片部１４２と、によって略Ｌ字状に形成されていて、上記水平片部１４２の先端が上記ロータ１９７の外周面に設けたリング状のギヤ１９９とフランジ部２００の間の挿入されている。
【００３９】
上記垂直片部１４１は、弾性を有していて、該垂直片部１４１を撓ませて上記水平片部１４２を所謂逃がした状態にして、スレッドモータ１５３をシャーシ１０２に取付ける際の邪魔にならないようにしてもよい。
【００４０】
上記モータ脱落阻止部１４０は、シャーシ１０２を切り起こすことにより、又は、シャーシ１０２にアウトサート成形により形成されている。
【００４１】
上記モータ脱落阻止部１４０は、上述のような構成であって、スレッドモータ１５３がシャーシ１０２から脱落する方向に移動したときに、上記モータ脱落阻止部１４０の水平片部１４２が上記ロータ１９７のフランジ部２００に係合して、スレッドモータ１５３の脱落方向への更なる移動を阻止して、シャーシ１０２からスレッドモータ１５３が脱落するのを防止する。
【００４２】
（５）伝達ギヤ群の構成
伝達ギヤ群１５４は、スレッドモータ１５３の回転を光学ピックアップ側に伝達して光学ピックアップを走行させる。図５に示すように、上記伝達ギヤ群１５４は、上記ロータ１９７の外周面に設けたリング状のギヤ（以下、第１のギヤと称する）２０１に噛合している第２のギヤ２０２と、該第２のギヤ２０２の上面（シャーシ１０２と対向する面）にこれと同軸に形成された第３のギヤ２０３と、該第３のギヤ２０３に噛合している第４のギヤ２０４と、該第４のギヤ２０４に噛合している第５のギヤ２０５と、で構成されている。上記第５のギヤ２０５は、上記光学ピックアップ１５２のリードスクリュー１８５の端部に取付けられている。
【００４３】
上記第２のギヤ２０２には平板状のギヤ（平歯車）が用いられている。上記第３のギヤ２０３にはウォームギヤが用いられている。上記第４のギヤ２０４には軸状のウォームギヤが用いられている。上記第５のギヤ２０５にはウォームギヤが用いられている。
【００４４】
上記第４のギヤ２０４は、長さ方向の中央部を境にして一端側２０４ａと他端側２０４ｂが逆ネジに形成されていて、上記一端部２０４ａに上記第３のギヤ２０３が噛合し、他端部２０４ｂに上記第５のギヤ２０５が噛合している。そして、上記スレッドモータ１５３で上記第１のギヤ２０１、第２のギヤ２０２、第３のギヤ２０３、第４のギヤ２０４、第５のギヤ２０５を介して上記リードスクリュー１８５を回転させることにより光学ピックアップ１５２を走行させる。
【００４５】
上述のように、スレッドモータ１５３のロータ１９７の外周面にリング状の第１のギヤ２０１を設け、該第１のギヤ２０１の平板状の第２のギヤ２０２を噛合させる構成にしたので、ロータの底面に第１のギヤを重ね合わせて取付けた場合に較べてスレッドモータの厚さを薄くしてメカデッキを小型、薄型化することができる。
【００４６】
（６）光学ピックアップの構成
図５に示すように、光学ピックアップ１５２は、対物レンズ駆動装置１８１と、該対物レンズ駆動装置１８１を上記ディスクテーブル１６９上にチャッキングされているディスク状記録媒体２の半径方向に移動させる移動台１８２と、を備えている。
【００４７】
上記移動台１８２は、第１の軸受部１８３と第２の軸受部１８４を備えている。上記第１の軸受部１８３には、リードスクリュー１８５が取付けられている。また、上記第２の軸受部１８４にはガイド部１８６が取付けられている。
【００４８】
上記リードスクリュー１８５は、上記シャーシ１０２の下面側において一対の軸受１８７によって回転可能に支持されている。また、上記ガイド部１８６は、アウトサート成形によりシャーシ１０２と一体に形成されている。
【００４９】
上記光学ピックアップ１５２は、上記リードスクリュー１８５を回転させることによって上記ターンテーブル１６９上の光ディスクの半径方向に移動して記録再生を行う。なお、光学ピックアップ１５２は、再生のみならず記録も可能になっている。
【００５０】
（７）ディスクカートリッジイジェクト機構の構成
上述したように、ディスクカートリッジイジェクト機構１０７は、記録再生終了後にディスクカートリッジ１をカートリッジホルダ１０１から排出させるものであり、イジェクトレバー１０４と、イジェクトバネ１０５と、ダンパーバネ１０６と、を備えている。
【００５１】
図９に示すように、イジェクトレバー１０４、イジェクトバネ１０５、ダンパーバネ１０６等から成るディスクカートリッジイジェクト機構１０７は、カートリッジホルダ１０１内に収納されたディスクカートリッジ１の前面とシャーシ１０２の上面およびカートリッジホルダ１０１の下面で構成される空間、所謂デッドスペース内に配置されている。
【００５２】
イジェクトレバー１０４は、ディスクカートリッジ１を挿入時において、カートリッジ本体３の前面で押されてイジェクトバネ１０５のバネ力に抗して回動し、上記シャーシ１０２に設けたイジェクトレバーロック部１０８により戻り回動不可能にロック（係止）される。記録再生終了後に、カートリッジホルダ１０１をカートリッジ挿抜位置に移動させると、イジェクトレバー１０４は、後に説明するイジェクトレバーロック解除部１０９によってイジェクトレバーロック部１０８によるロックを解除されてイジェクトバネ１０５のバネ力により戻り回動してカートリッジホルダ１０１からディスクカートリッジ１を排出させる。
【００５３】
図５に示すように、上記イジェクトレバー１０４は、上記シャーシ１０２の上面に重ね合わせる略Ｌ字状のベース部（平板状主部）１０４ａと、該ベース部１０４ａの一端側にアーム部１０４ｂを介して設けられていてディスクカートリッジ１のカートリッジ本体３の前面３ａで押圧される被押圧部１０４ｃと、上記ベース部１０４ａの中央部に設けられた軸受孔１０４ｄと、上記ベース部１０４ａ他端側に設けられていてディスクカートリッジ１がカートリッジホルダ１０１内に完全に収納された状態において上記イジェクトレバーロック部１０８に係合する被ロック部１０４ｅと、該被ロック部１０４ｅの近傍の上方位置に設けられていてディスクカートリッジ１をカートリッジ挿抜位置から記録再生位置に移動させるときに上記カートリッジホルダ１０１に設けたイジェクトレバーロック解除部１０９が係合するロック解除部材係合部１０４ｆと、上記アーム部１０４ｂの被押圧部１０４ｃと反対側の端部に設けられた第１のイジェクトバネ係止部１０４ｇと、上記ベース部１０４ａの中央部に設けられていてイジェクトレバー１０４が所定の角度回動したときに後に説明するダンパーバネ１０６の端部１０６ｂに接触するダンパーバネ接触部１０４ｈを備えている。
【００５４】
上記イジェクトレバー１０４は、ベース部１０４ａの中央部が軸１０４ｉにより回動可能に、且つベース部１０４ａおよび被ロック部１０４ｅを上記シャーシ１０２の上面から若干浮き上がらせることが可能に上記シャーシ１０２の上面に取付けられている。
【００５５】
上記イジェクトバネ１０５には、引張コイルバネが用いられている。上記イジェクトバネ１０５は、一端部１０５ａが上記イジェクトレバー１０４に設けた第１のイジェクトバネ係止部１０４ｇに係止され、他端部１０５ｂが上記シャーシ１０２の上面に設けた第２のイジェクトバネ係止部１０２ａに係止されていて、上記イジェクトレバー１０４にディスクカートリッジ排出方向の回動力を付与していると共に、上記イジェクトレバー１０４のベース部１０４ａをシャーシ１０２の上面に押し付ける力を付与している。第１のイジェクトバネ係止部１０４ｇと第２のイジェクトバネ係止部１０２ａを結ぶ線を延長させた位置の近傍に上記イジェクトレバーロック部１０８が配置されている。
【００５６】
上記ダンパーバネ１０６は、イジェクトレバー１０４がイジェクトバネ１０５のバネ力によって所定の角度戻り回動したときに、イジェクトレバー１０４に制動力を付与してイジェクトレバー１０４の回動スピードを緩めることによりディスクカートリッジ１がカートリッジホルダ１０１から脱落するのを防止するものである。上記ダンパーバネ１０６には、捻りコイルバネが用いられている。
【００５７】
上記ダンパーバネ１０６は、上記軸部１０４ｉの外周に取付けられていて、一端部１０６ａがシャーシ１０２に設けたダンパーバネ係止部１０２ｂに係止されている。上記ダンパーバネ１０６の他端部１０６ｂは、シャーシ１０２に設けたダンパーバネ端部受け溝１０２ｃに挿入されている。
【００５８】
図７Ｂに示すように、イジェクトレバー１０４がイジェクトレバーロック部１０８にロックされている状態において、ダンパーバネ１０６の他端部１０６ｂは、上記受け溝１０２ｃの端部に当接している。そして、上記イジェクトレバー１０４がイジェクトバネ１０５のバネ力によってディスクカートリッジを排出する方向に角度戻り回動したときに、図６Ｂに示すように、上記イジェクトレバー１０４のダンパーバネ接触部１０４ｈが上記ダンパーバネ１０６の他端部１０６ｂに接触して該ダンパーバネ１０６が捩られて上記イジェクトバネ１０５のバネ力と逆方向のバネ力を上記ダンパーバネ１０６に発生させてイジェクトレバー１０４に制動力を付与する。
【００５９】
ディスクカートリッジイジェクト機構１０７は、上述のような構成であって、図１に示すように、カートリッジ挿抜位置（カートリッジホルダ１０１を上記シャーシ１０２に対して所定の傾斜角度θに傾斜させた状態）において上記カートリッジホルダ１０１にディスクカートリッジ１を挿入した場合に、カートリッジ本体３の前面で上記被押圧部１０４ｃが押されてイジェクトバネ１０５のバネ力に抗して回動し、ディスクカートリッジ１がカートリッジホルダ１０１に完全に収納された状態になると、図２に示すように、イジェクトレバー１０４は、平面状主部１０４ａの外側面の被ロック部１０４ｅがイジェクトレバーロック部１０８に係合して戻り回動不可能に係止され、図３に示すように、上記カートリッジホルダ１０１を記録再生位置に移動させた場合でも上記カートリッジホルダ１０１を戻り回動不可能に維持する。
【００６０】
そして、記録再生終了後に、上記カートリッジホルダ１０１を記録再生位置からカートリッジ挿抜位置に回動させると、図９，図１０に示すように、次に説明するイジェクトレバーロック解除部１０９によりイジェクトレバー１０４のロックを解除する。従って、上記イジェクトレバー１０４は、イジェクトバネ１０５のバネ力により戻り回動してディスクカートリッジ１をカートリッジホルダ１０１から排出させる。このとき、上記ダンパーバネ１０６によってイジェクトレバー１０４の戻り回動を緩やかにしてディスクカートリッジ１が押し出される際に勢いが余ってカートリッジホルダ１０１から脱落するのを防止する。
【００６１】
（８）イジェクトレバーロック解除部の構成、
イジェクトレバーロック解除部１０９は、上記カートリッジホルダ１０２を記録再生位置からカートリッジ挿抜位置に回動させた時に、上記イジェクトレバーロック部１０８によるイジェクトレバー１０４の係止を解除して、イジェクトレバー１０４をイジェクトバネのバネ力で戻り回動させてディスクカートリッジ１をカートリッジホルダ１０１から排出させるものであり、その機能からラチェット部材とも称されている。
【００６２】
図６〜図８に示すように、上記イジェクトレバーロック解除部１０９は、上記カートリッジホルダ１０１に設けられていて、カートリッジホルダ１０１をカートリッジ挿抜位置から記録再生位置に移動させる途中で上記イジェクトレバー１０４に設けたロック解除部材係合部１０４ｆの下面側に係合するようになっている。そして、カートリッジホルダ１０１を記録再生位置からカートリッジ挿抜位置に移動させるときに上記ロック解除部材係合部１０４ｆを介して上記ベース部１０４ａおよび被ロック部１０４ｅを上記シャーシ１０２の上面から若干浮き上がらせて、上記被ロック部１０４ｅと上記イジェクトレバーロック部１０８の係合を解除する。
【００６３】
図８Ａ〜図８Ｃに示すように、上記イジェクトレバーロック解除部１０９は、弾性（可撓性）を有するアーム部１０９ａと、該アーム部１０９ａの先端部を該アーム部１０９ａに対して鋭角状に折り曲げることにより形成された爪片１０９ｂと、を備えている。
【００６４】
上記イジェクトレバーロック解除部１０９は、カートリッジホルダ１０１をカートリッジ挿抜位置から記録再生位置に移動させる途中で上記爪片１０９ｂの傾斜面１０９ｃが上記ロック解除部材係合部１０４ｆの側面に接触して逃げ移動し、上記爪片１０９ｂの傾斜面１０９ｃと上記ロック解除部材係合部１０４ｆの側面との係合が外れると、上記爪片１０９ｂが元の位置に復帰して上記爪片１０９ｂの先端部１０９ｄが上記ロック解除部材係合部１０４ｆの下面側に入り込む。
【００６５】
上記イジェクトレバーロック解除部１０９は、カートリッジホルダ１０１の一部を切り起こすことにより、或いはカートリッジホルダ１０１と別個に形成したものをカートリッジホルダ１０１に取付けることにより構成されている。
【００６６】
次に、上記イジェクトレバーロック解除部の作用について説明する。図１に示すように、カートリッジ挿抜位置に在るカートリッジホルダ１０１にディスクカートリッジ１を挿入すると、上述したように、ディスクカートリッジ１の前面でイジェクトレバー１０４の一端部に設けた被押圧部１０４ｃが押圧されて、上記イジェクトレバー１０４はイジェクトバネ１０４のバネ力に抗して回動して、イジェクトレバー１０４の他端部に設けた被ロック部１０４ｅがシャーシ１０２に設けたイジェクトレバーロック部１０８が係合して戻り回動不可能に係止される。この状態において、上記イジェクトレバー１０４の被ロック部１０４ｅの上部近傍に設けられたロック解除部材係合部１０４ｆは、図７Ｃに示すように、上記カートリッジホルダ１０１に設けたイジェクトレバーロック解除部１０９の略真下に位置している。
【００６７】
次に、上記カートリッジホルダ１０１を記録再生位置に向けて回動させると、図８Ａに示すように、上記イジェクトレバーロック解除部１０９の爪部１０９ｂの傾斜面１０９ｃが上記イジェクトレバー１０４のロック解除部材係合部１０４ｆの側面に接触して押されて上記アーム部１０９ａが撓んで、上記爪部１０９ｂが上記ロック解除部材係合部１０４ｆの側面から逃げる方向に移動する。
【００６８】
そして、上記カートリッジホルダ１０２が記録再生位置の近傍まで移動して来ると、上記爪部１０９ｂの傾斜面１０９ｃと上記ロック解除部材係合部１０４ｆの側面の係合が外れて、図８Ｂに示すように、上記爪部１０９ｂは、上記アーム部１０９ａの弾性により戻り移動して、上記爪部１０９ｂの先端部１０９ｄが上記ロック解除部材係合部１０４ｆの下面に侵入した状態になる。この状態でディスクの記録再生が行われる。
【００６９】
記録再生終了後に、上記カートリッジホルダ１０１をカートリッジ挿抜位置に向けて回動させると、図８Ｃに示すように、上記イジェクトレバーロック解除部１０９の爪部１０９ｂの先端部１０９ｄが上記ロック解除部材係合部１０４ｆの下面に係合して、該ロック解除部材係合部１０４ｆを介してベース部１０４ａが持ち上げられて、図９に示すように、上記イジェクトレバー１０４の被ロック部１０４ｅと上記シャーシ１０２に設けたイジェクトレバーロック部１０８が係合が解除され、イジェクトレバー１０４は、イジェクトバネ１０５のバネ力により回動して、ディスクカートリッジ１をカートリッジホルダ１０２から押し出す。
【００７０】
（９）ディスクカートリッジの構成、
図１０はディスクカートリッジ１を上ハーフ側から見た斜視図、図１１はディスクカートリッジ１を下ハーフ側から見た斜視図である。
【００７１】
ディスクカートリッジ１は、光ディスク等のディスク状記録媒体２と、上記ディスク状記録媒体２を円形状のディスク収納部内に回転可能に収納しているとともに、上記ディスク状記録媒体２の一部を外部に臨ませる記録再生用開口部３４を設けたカートリッジ本体３と、を備えている。ディスクカートリッジ１は、記録再生用開口部３４を開閉するシャッタを具備しない所謂シャッタレスディスクカートリッジとして構成されている。
【００７２】
図１１に示すように、上記ディスク状記録媒体２は、ゲーム用のソフト等が記録された光ディスク２１の中央部にチャッキング用のハブ２２を取付けることにより構成されている。上記光ディスク２１は、直径５０mm程度の小径に形成されている。上記チャッキング用のハブ２２は、マグネットに吸引されるステンレス等の磁性金属により形成されている。
【００７３】
上記カートリッジ本体３は、上，下ハーフ３１，３２の周壁を突き合わせることにより形成されている。上記カートリッジ本体３は、前面３ａ（後に説明する再生装置への挿入端側の側面）が上記光ディスク２１と略同じ曲率半径の円弧状面（半円形状面）に形成され、上記前面３ａに連続する左右の側面３ｂ，３ｃは、互いに平行するフラット面に形成され、上記前面３ａに対向する後面３ｄは、上記左右の第１，第２の側面３ｂ，３ｃになだらかに連続する湾曲面に形成されている。
【００７４】
上記下ハーフ３２の中央部には、上記ディスク状記録媒体２のハブ２２を外部に臨ませる駆動用開口部３３が設けられている。また、上記駆動用開口部３３の近傍から上記第２の側面３ｃに亘って、上記ディスク状記録媒体２の光ディスク２１の情報記録面を外部に臨ませる記録再生用開口部３４が設けられている。
【００７５】
図１０に示すように、上記ディスクカートリッジ１は、カートリッジ本体３の第１の側面３ｂに、ディスクカートリッジ１のカートリッジホルダ１０２への収納完了時において、次に説明するカートリッジホルダ１０１の第１の側面板１０１ｂ（図１参照）に設けたカートリッジ脱落防止部材２１１の凸部２１３が嵌合して該凸部２１３を上記ディスクカートリッジ１のカートリッジ本体３の第１の側面３ｂに対して非接触状態にして上記カートリッジ脱落防止部材２１１によるカートリッジホルダ１０２への側圧を除去するための第１の側圧解除用の凹部４１を備えている。
【００７６】
また、図１１に示すように、上記ディスクカートリッジ１は、カートリッジ本体３の第２の側面３ｃに、ディスクカートリッジ１をカートリッジホルダ１０１へ挿入する際にカートリッジホルダ１０１の第２の側面板１０１ｃ（図１７参照）に設けたカートリッジ挿入ガイド用の凸部２１４が侵入して、ディスクカートリッジ１の挿入をガイドするガイド溝４２と、カートリッジホルダ１０１へのディスクカートリッジ１の収納完了時において、上記カートリッジ挿入ガイド用の凸部２１４が嵌合して、該凸部２１４を上記ディスクカートリッジ１のカートリッジ本体３の第２の側面３ｃに対して非接触状態にして、上記カートリッジ挿入ガイド用の凸部２１４によるカートリッジホルダ１０１への側圧を除去するための第２の側圧解除用の凹部４３と、を備えている。また、カートリッジ本体３の下面の後面３ｄ側に近傍にはシャーシ１０２に設けたカートリッジ位置決め基準ピン１２２が嵌合する位置決め基準穴５０が設けられている。
【００７７】
上記駆動用開口部３３を介して上記ディスク状記録媒体２のハブ２２が再生装置のディスクテーブル上にマグネットチャッキングされる。また、上記記録再生用開口部３４を介して上記ディスク状記録媒体２の光ディスク２１に対して光学ピックアップにより情報の記録再生が行われる。
【００７８】
（１０）カートリッジホルダの構成、
図５に示すように、上記カートリッジホルダ１０１は、略正方形状の上面板（天面板）１０１ａと、該上面板１０１ａの左右両側部を下方に向けて略直角に折り曲げることにより形成された左右の側面板（以下、第１，第２の側面板と称する）１０１ｂ，１０１ｃと、これら第１，第２の側面板１０１ｂ，１０１ｃの下端を内側に向けて略直角に折り曲げることにより形成されていて挿入されたディスクカートリッジ１の下面の左右両側部を支持する左右一対の第１、第２カートリッジ支持部１０１ｄ，１０１ｅおよび第２カートリッジ支持部１０１ｅよりも奥側に所定の間隔をもって設けられている舌片状の第３，第４カートリッジ支持部１０１ｆ，１０１ｇと、第１、第２カートリッジ支持部１０１ｄ，１０１ｅの前縁を下方に向けて折り曲げることにより形成された受け面部１０１ｈ，１０１ｉと、を備えている。そして、これら上面板１０１ａ、第１，第２の側面板１０１ｂ，１０１ｃ、左右一対のカートリッジ支持部１０１ｄ，１０１ｅ等によってディスクカートリッジ１の挿入口１０１ｎおよび挿入口１０１ｎに連なる収納部１０１ｐが形成されている。
【００７９】
上記ディスクカートリッジイジェクト機構１０７が配置されている空間の上部に位置する上記ディスクカートリッジ１の上面板１０１ａの位置に上記イジェクトレバーロック解除部１０９が設けられている。
【００８０】
上記イジェクトレバーロック解除部１０９は、上記ディスクカートリッジ１の上面板１０１ａの一部を切り起こすことにより形成されている。
【００８１】
上記上面板１０１ａの中央部には軽量化等を図るために亀甲形の開口部１１１が打ち抜き形成されている。上記上面板１０１ａの開口部１１１の左右両側部にはディスクカートリッジ挿入方向と略平行に左右一対の第１，第２の板バネ１１２，１１３が上記上面板１０１ａの一部を切り起こすことにより形成されている。これら第１，第２の板バネ１１２，１１３は、先端の自由端側が上記収納部１０１ｐ内に入り込むように屈曲されていて、上記収納部１０１ｐ内に挿入されたディスクカートリッジ１の上面を押圧して該ディスクカートリッジ１を上記第１〜第４カートリッジ支持部１０１ｄ〜１０１ｇに押し付ける。
【００８２】
また、上記上面板１０１ａの開口部１１１よりも前端側（挿抜口１０１ｎ側）には、中央部からディスクカートリッジ挿入方向と略直交する方向に向かって伸びる左右一対の第１，第２の板バネ１１４，１１５が上記上面板１０１ａの一部を切り起こすことにより形成されている。
【００８３】
図１２に拡大して示すように、第３，第４の板バネ１１４，１１５は、細長い板状のキャビネット蓋ポップアップ用のバネ部（以下、ポップアップバネと称する）１１６と、該ポップアップバネ１１６の一側部から分岐されてポップアップバネ１１６と平行に伸びる細長い板状のカートリッジ押え用のバネ部１１７（以下、カートリッジ押えバネと称する）と、を備えている。ポップアップバネ１１６の幅Ｗ１は、カートリッジ押えバネ１１７の幅Ｗ２よりも幅広に形成されている。
【００８４】
ポップアップバネ１１６は、長さ方向に伸びる刳り貫き部１１８によって所謂枠状に形成されていると共に、刳り貫き部１１８には梁部１１９が設けられている。梁部１１９は、カートリッジ押えバネ１１７の付根部分、即ちポップアップバネ１１６からカートリッジ押えバネ１１７が分岐されている部分の近傍に設けられている。
【００８５】
ポップアップバネ１１６の付根部１１６ａやカートリッジ押えバネ１１７の付根部１１７ａ或いは刳り貫き部１１８の端部１１８ａは、アール状に形成されて、これらポップアップバネ１１６やカートリッジ押えバネ１１７が撓んだときの応力が１箇所に集中するのを防止している。また、図１３に示すように、ポップアップバネ１１６は、付根部１１６ａにおいて緩やかなアールによって折り曲げられていてポップアップバネ１１６が撓んだときに応力が１箇所に集中するのを防止している。また、カートリッジ押えバネ１１７は、ポップアップバネ１１６の途中から上面板１０１ａに対して略平行或いはポップアップバネ１１６と平行に伸びている。
【００８６】
図１４、図１５に示すように、ポップアップバネ１１６の先端部１１６ｂは、カートリッジホルダ１０１を記録再生位置とカートリッジ挿抜位置の間で回動移動させるキャビネット蓋１１０の内面１１０ａに接触するようになっている。
【００８７】
カートリッジホルダ１０１内にディスクカートリッジ１を挿入してキャビネット蓋１１０を閉じると、図３に示すように、カートリッジホルダ１０１は、記録再生位置に移動する。そして、図１６に示すように、キャビネット蓋１１０の内面１１０ａでポップアップバネ１１６の先端部１１６ｂが押されてポップアップバネ１１６がディスクカートリッジ１側に撓む。ポップアップバネ１１６が撓むと、ポップアップバネ１１６の一側部から分岐されているカートリッジ押えバネ１１７の先端部１１７ｂがディスクカートリッジ１の上面に接触してディスクカートリッジ１をカートリッジホルダ１０１のカートリッジ支持部に押し付ける。このとき、カートリッジ押えバネ１１７の反力により、ポップアップバネ１１６には捻れ方向の力が作用するが、ポップアップバネ１１６に設けた梁部１１９等によって、捻れ方向の力はポップアップバネ１１６の全域に分散されて、ポップアップバネ１１６が捻れ方向に塑性変形するのが阻止される。
【００８８】
上述のように、第１，第２の板バネ１１２，１１３の先端部と、第３，第４の板バネ１１４，１１５のポップアップバネ１１６及びカートリッジ押えバネ１１７のバネ力でディスクカートリッジ１を第１〜第４カートリッジ支持部１０１ｄ〜１０１ｇに押し付けた状態で記録再生が行われる。記録再生終了後にキャビネット蓋１１０を開くとカートリッジホルダ１０１は、カートリッジ挿抜位置に回動移動する。そして、図１４に示すように、ポップアップバネ１１６によりカートリッジホルダ１０１とキャビネット蓋１１０との間に所定のクリアランスＣを形成して、キャビネット蓋１１０の前面板１１０ｂによるカートリッジホルダ１０１のカートリッジ挿抜口１０１ｎの閉塞を解除して、カートリッジ挿抜口１０１ｎを開放する。
【００８９】
図１に示すように、カートリッジホルダ１０１の第１の側面板１０１ｂには上記イジェクトバネ１０５によるディスクカートリッジ１の排出に制動力を付与して上記ディスクカートリッジ１がカートリッジホルダ１０１から脱落するのを阻止するカートリッジ脱落防止部材２１１が切り起こし形成されている。上記カートリッジ脱落防止部材２１１は、カートリッジホルダ１０２のカートリッジ挿抜口１０１ｎ側に向かって伸びる弾性片部２１２と、該弾性片部２１２の先端部に設けられていてディスクカートリッジ排出時にディスクカートリッジ１の第１の側面３ｂに摺接する凸部２１３と、で構成されている。上記凸部２１３は、ディスクカートリッジ１のカートリッジホルダ１０１内への収納完了時においては、ディスクカートリッジ１の第１の側面３ｂに設けた第１の側圧解除用の凹部４１内に嵌合して、上記第１の側面３ｂに対して非接触状態になって側圧を解除する。
【００９０】
また、図１７に示すように、上記カートリッジホルダ１０１の第２の側面板１０１ｃのカートリッジ挿抜口１０１ｎ側の端部には、カートリッジ収納部１０１ｐ内に突出するカートリッジ挿入ガイド用の凸部２１４が設けられている。上記カートリッジ挿入ガイド用の凸部２１４は、上記カートリッジホルダ１０１の第２の側面板１０１ｃの厚み方向の略中央部に切り起こし形成されている。
【００９１】
カートリッジ挿入ガイド用の凸部２１４は、図１７に示すように、ディスクカートリッジ１を正規の姿勢でカートリッジホルダ１０１に挿入した場合に、ディスクカートリッジ１の一側面３ｃに設けたガイド溝４２内に導入される。そして、ディスクカートリッジ１が所定の位置まで挿入されると、カートリッジ挿入ガイド用の凸部２１４は、ガイド溝４２の先端部に連続して設けられた第２の側圧解除用の凹部４３内に位置してディスクカートリッジ１と非接触状態になる。
【００９２】
カートリッジ挿入ガイド用の凸部２１４は、ディスクカートリッジ１をカートリッジホルダ１０１内に挿入する際に、ディスクカートリッジ１の挿入をガイドすると共に、図１８に示すように、ディスクカートリッジ１の記録再生用開口部３４にカートリッジホルダ１０１の第２カートリッジ支持部１０１ｅの端部１０１ｔや第３カートリッジ支持部１０１ｆ等が侵入して、これら第２カートリッジ支持部１０１ｅ等によりディスク状記録媒体の情報記録面がダメージを受けるのを防止する。
【００９３】
即ち、ディスクカートリッジ１がシャッターレスタイプのものである場合には、記録再生用開口部３４が常に開放された状態になっているために、ディスクカートリッジ１をカートリッジホルダ１０１内に挿入する際などにおいて、ディスクカートリッジ１に何等かの理由で強い押し下げ力が加わった場合に、記録再生用開口部３４にカートリッジホルダ１０１の第２カートリッジ支持部１０１ｅの端部１０１ｔや第３カートリッジ支持部１０１ｆ等が侵入して、これら第２カートリッジ支持部１０１ｅの端部１０１ｔ等によりディスク状記録媒体の情報記録面が傷付けられたり、或いはディスクカートリッジ１内のディスク状記録媒体の外周面が第２カートリッジ支持部１０１ｅに乗り上げたりする虞がある。カートリッジ挿入ガイド用の凸部２１４は、ガイド溝４２の上面４２ａに接触し、ディスクカートリッジ１の厚さ方向への動きを規制して、記録再生用開口部３４にカートリッジホルダ１０１の第２カートリッジ支持部１０１ｅの端部１０１ｔや第３カートリッジ支持部１０１ｆ等が侵入して、第２カートリッジ支持部１０１ｅの端部１０１ｔ等によりディスク状記録媒体の情報記録面が傷付けられたり、ディスク状記録媒体の外周面が第３のカートリッジ支持部１０１ｆに乗り上げたりするのを防止する。
【００９４】
また、カートリッジ挿入ガイド用の凸部２１４は、ディスクカートリッジ１の誤挿入を防止する誤挿入防止部材としても作用する。即ち、ディスクカートリッジ１を表裏逆に挿入した場合にはカートリッジ挿入ガイド用の凸部２１４がディスクカートリッジ１の側面に当接してディスクカートリッジ１の更なる挿入を阻止する。また、ディスクカートリッジ１を前後逆に挿入した場合には、カートリッジ挿入ガイド用の凸部２１４がディスクカートリッジ１の第１の側圧解除溝４１の端面４１ａに当接してディスクカートリッジ１の更なる挿入を阻止する。なお、ディスクカートリッジ１の誤挿入は、上記カートリッジ挿入ガイド用の凸部２１４を設けない場合には、図５に示した、第３のカートリッジ支持部１０１ｆにより行うことも可能であるが、カートリッジ挿入ガイド用の凸部２１４は、第３のカートリッジ支持部１０１ｆよりもカートリッジ挿抜口１０１ｎに近い位置に設けられているので、カートリッジを誤挿入した場合に、より早い段階で更なるカートリッジの挿入を阻止することが出来る。
【００９５】
（１１）シャーシの構成、
図５に示すように、シャーシ１０２は、金属板によって略四角形状に形成されている。上記シャーシ１０２の四隅部にはダンパ取付部１３１が設けられていて、これらダンパ取付部１３１には、ゴム製のダンパ１３２が取付けられている。上記シャーシ１０２の左右の側部には、上記カートリッジホルダ１０１の第１，第２の側面板１０１ｂ，１０１ｃの外側に位置する左右の側壁１３３，１３４が設けられている、これら左右の側壁１３３，１３４の一端側には、上記カートリッジホルダ１０１を回動可能に取付けるための一対の軸受部１３５，１３６が設けられていて、これら軸受部１３５，１３６の内面に設けた軸１３７，１３８を上記カートリッジホルダ１０１の軸受孔１２３，１２４に挿入することにより上記カートリッジホルダ１０１をカートリッジ挿抜位置と記録再生位置の相互間で回動可能に支持している。
【００９６】
上記シャーシ１０２は、上記カートリッジホルダ１０１を記録再生位置に移動させたときに、上記カートリッジホルダ１０１の左右一対のカートリッジ支持部１０１ｄ，１０１ｅに設けた位置決め導入孔１２１を介して上記ディスクカートリッジ１の位置決め基準穴５０に嵌合するカートリッジ位置決め基準ピン１２２を備えている。
【００９７】
上記シャーシ１０２は、上記カートリッジホルダ１０１内に収納された上記ディスクカートリッジ１の前面３ａと上記シャーシ１０２の上面および上記カートリッジホルダ１０１の下面で構成される空間内に上記イジェクトレバーロック部１０８を備えている。上記イジェクトレバーロック部１０８は、図７に示すように、イジェクトバネ１０５に抗してイジェクトレバー１０４をディスクカートリッジ１がカートリッジホルダ１０１内に完全に収納される位置まで回動させたときに、上記イジェクトレバー１０４の被ロック部１０４ｅに係合して、上記イジェクトレバー１０４を戻り回動不可能に係止する。
【００９８】
イジェクトレバーロック部１０８は、シャーシ１０２の上面に長円形の凸部を設けることにより形成されている。図７Ｄに示すように、上記イジェクトレバーロック部１０８の一端部１０８ｂは、傾斜面になっていて上記イジェクトレバー１０４の被ロック部１０４ｅが上記イジェクトレバーロック部１０８上を乗り越えるようになっている。一方、上記イジェクトレバーロック部１０８の他端部１０８ａは、略垂直面になっていて上記イジェクトレバー１０４の被ロック部１０４ｅが確実に係合するようになっている。
【００９９】
上記イジェクトレバーロック部１０８は、上記イジェクトバネ１０５のバネ力に抗して上記イジェクトレバー１０４のベース部１０４ａをシャーシ１０２から浮き上がらせた状態にすると上記被ロック部１０４ｅとの係合が外れるようになっている。上記イジェクトレバーロック部１０８との係合が外れたイジェクトレバー１０４は、ベース部１０４ａが上記イジェクトレバーロック部１０８上に乗り上げて回動し、カートリッジホルダ１０１からディスクカートリッジ１を排出させる。
【０１００】
図９に示すように、イジェクトレバー１０５がイジェクトレバーロック部１０８にロックされた状態において、イジェクトレバー１０５の被押圧部１０４ｃの近傍が浮き上がるのを防止するイジェクトレバー浮き上がり防止部１３９がシャーシ１０２に設けられている。
（１２）作用および効果
実施例のスピンドルモータおよび再生装置１０１は、上述のような構成であって、図１４に示すように、上記キャビネット蓋１１０を開けばカートリッジホルダ１０１は、上記キャビネット蓋１１０に追従して回動して上記カートリッジ挿抜位置に移動する。上記カートリッジ挿抜位置において上記カートリッジホルダ１０１にディスクカートリッジ１を挿入すれば、上述したように、カートリッジ本体３の前面３ａの中央部が上記イジェクトレバー１０４の被押圧部１０４ｃに当接し、該被押圧部１０４ｃを押圧する。
【０１０１】
上記被押圧部１０４ｃが押圧されると、上記イジェクトレバー１０４は、上記イジェクトバネ１０５のバネ力に抗して回動し、ディスクカートリッジ１がカートリッジホルダ１０１内に完全に収納された状態になるとともに、上記イジェクトレバー１０４は、イジェクトレバーロック部１０８によって戻り回動不可能に係止された状態になる。
【０１０２】
ディスクカートリッジ１をカートリッジホルダ１０１内に収納したのち、上記キャビネット蓋１１０を閉じればカートリッジホルダ１０１は、上記キャビネット蓋１１０に追従してカートリッジ挿抜位置から記録再生位置に移動する。
【０１０３】
カートリッジホルダ１０１がカートリッジ挿抜位置から記録再生位置に移動する際には、図８Ａに示すように、上記イジェクトレバーロック解除部１０９の爪部１０９ｂの傾斜面１０９ｃに上記イジェクトレバー１０４のロック解除部材係合部１０４ｆの側面が接触して上記イジェクトレバーロック解除部１０９のアーム部１０９ａを撓ませて上記爪部１０９ｂを所謂逃げ方向に移動させる。上記傾斜面１０９ｃと上記ロック解除部材係合部１０４ｆの側面の接触が外れると、上記イジェクトレバーロック解除部１０９は、弾性復帰して、図８Ｂに示すように、上記爪部１０９ｂが上記ロック解除部材係合部１０４ｆの下面側に入り込んで該下面と係合可能な状態になる。
【０１０４】
記録再生終了後に上記キャビネット蓋１１０を開けばカートリッジホルダ１０１は、上記キャビネット蓋１１０に追従して回動して上記カートリッジ挿抜位置に移動する。
上記カートリッジホルダ１０１がカートリッジ挿抜位置から記録再生位置に移動する際には、図８Ｃに示すように、上記イジェクトレバーロック解除部１０９の爪部１０９ｂによって上記イジェクトレバー１０４のロック解除部材係合部１０４ｆが持ち上げられて、上記イジェクトレバーロック部１０８による上記イジェクトレバー１０４の係止が解除されて、上記イジェクトレバー１０４は、イジェクトバネ１０５のバネ力で回動して、ディスクカートリッジ１をカートリッジホルダ１０１から押し出す。
【０１０５】
本発明のスピンドルモータおよび再生装置は、従来のスピンドルモータのロータに樹脂導入孔を設け、或いはロータのスカート部の外周面に溝部を形成するという簡単な構成で、ロータにディスクテーブルをアウトサート成形する際にディスクテーブルを形成する合成樹脂の一部を上記他の樹脂導入孔や溝部に導入することによりロータとディスクテーブルの結合強化を図り、ディスクテーブルの浮き上がりや面振れを確実に防止して、ディスクへの記録再生をより確実なものにする。
【図面の簡単な説明】
【０１０６】
【図１】ホルダが挿抜位置に在る再生装置の斜視図。
【図２】ホルダにカートリッジを挿入した再生装置の斜視図。
【図３】ホルダが記録再生位置に在る再生装置の斜視図。
【図４】再生装置を裏側から見た平面図。
【図５】再生装置の分解斜視図。
【図６】Ａはロックが解除されている状態のイジェクトレバー部分の斜視図、Ｂは同平面図、Ｃは同側面図。
【図７】Ａはロックされている状態のイジェクトレバー部分の斜視図、Ｂは同平面図、Ｃは同側面図、Ｄはイジェクトレバーロック部の断面図。
【図８】Ａはイジェクトレバーロック解除部材がロック解除部材係合部に係合した状態の側面図、Ｂはイジェクトレバーロック解除部材とロック解除部材係合部の係合が解除された状態の側面図、Ｃはイジェクトレバーロック解除部材によりロック解除部材係合部が持ち上げられた状態の側面図。
【図９】Ａはロックが解除されてイジェクトレバーが僅かに戻り回動した状態の斜視図、Ｂは同平面図。
【図１０】ディスクカートリッジの斜視図。
【図１１】ディスクカートリッジを底面側から見た斜視図。
【図１２】ポップアップバネ部分の拡大図。
【図１３】図１２のＡ−Ａ断面図。
【図１４】ポップアップバネによってキャビネット蓋が押し上げられている状態の側面図。
【図１５】ポップアップバネによってキャビネット蓋が押し上げられている状態の正面図。
【図１６】キャビネット蓋が閉じられてポップアップバネが撓んだ状態の側面図。
【図１７】カートリッジ挿入ガイド用の凸部を設けた第１の側面から見たカートリッジホルダの斜視図。
【図１８】ディスクカートリッジの挿入過程を示すディスクカートリッジの底面図。
【図１９】ディスクカートリッジを収納した状態のディスクカートリッジの底面図。
【図２０】スピンドルモータの断面図。
【図２１】スピンドルモータのロータとターンテーブルの要部の分解断面図。
【図２２】スピンドルモータのロータとターンテーブルの要部を組合せた状態の断面図。
【図２３】スピンドルモータの第２実施例の断面図。
【図２４】第２実施例のスピンドルモータのロータとターンテーブルの要部の分解断面図。
【図２５】第２実施例のスピンドルモータのロータとターンテーブルの要部を組合せた状態の断面図。
【図２６】スピンドルモータの第３実施例の断面図。
【図２７】第３実施例のスピンドルモータのロータとターンテーブルの要部の分解断面図。
【図２８】第３実施例のスピンドルモータのロータとターンテーブルの要部を組合せた状態の断面図。
【図２９】スピンドルモータの第４実施例の断面図。
【図３０】第４実施例のスピンドルモータのロータとターンテーブルの要部の分解断面図。
【図３１】第４実施例のスピンドルモータのロータとターンテーブルの要部を組合せた状態の断面図。
【図３２】スレッドモータの断面図。
【図３３】スレッドモータのロータの断面図。
【図３４】従来例の断面図。
【図３５】要部の拡大図。
【図３６】ロータとディスクテーブルを分離した状態の断面図。
【符号の説明】
【０１０７】
１…ディスクカートリッジ、１００…再生装置、１０１…カートリッジホルダ、１０２…シャーシ、１０３…記録再生機構、１０４…イジェクトレバー、１０５…イジェクトバネ、１０６…ダンパーバネ、１０７…ディスクカートリッジイジェク機構、１０８…イジェクトレバーロック部、１０９…イジェクトレバーロック解除部材、１５１…スピンドルモータ、１６７…ロータアッシー、１６８…ロータ、１６８ａ…天面部、１６８ｂ…スカート部、１６９…ディスクテーブル、１６９ａ…テーブル本体部、１６９ｂ…ロータ内面重合部、１７３…第１の樹脂導入孔、１７４…第２の樹脂導入孔、１７５…溝部、１７６…第３の樹脂導入孔。
【図１】
2008131846.tif 000003
【図２】
2008131846.tif 000004
【図３】
2008131846.tif 000005
【図４】
2008131846.tif 000006
【図５】
2008131846.tif 000007
【図６】
2008131846.tif 000008
【図７】
2008131846.tif 000009
【図８】
2008131846.tif 000010
【図９】
2008131846.tif 000011
【図１０】
2008131846.tif 000012
【図１１】
2008131846.tif 000013
【図１２】
2008131846.tif 000014
【図１３】
2008131846.tif 000015
【図１４】
2008131846.tif 000016
【図１５】
2008131846.tif 000017
【図１６】
2008131846.tif 000018
【図１７】
2008131846.tif 000019
【図１８】
2008131846.tif 000020
【図１９】
2008131846.tif 000021
【図２０】
2008131846.tif 000022
【図２１】
2008131846.tif 000023
【図２２】
2008131846.tif 000024
【図２３】
2008131846.tif 000025
【図２４】
2008131846.tif 000026
【図２５】
2008131846.tif 000027
【図２６】
2008131846.tif 000028
【図２７】
2008131846.tif 000029
【図２８】
2008131846.tif 000030
【図２９】
2008131846.tif 000031
【図３０】
2008131846.tif 000032
【図３１】
2008131846.tif 000033
【図３２】
2008131846.tif 000034
【図３３】
2008131846.tif 000035
【図３４】
2008131846.tif 000036
【図３５】
2008131846.tif 000037
【図３６】
2008131846.tif 000038